(57)【要約】      （修正有）【課題】特に道路トンネルの内壁の各高さ位置での作業を安全かつ簡単に行える車載式の道路点検作業機を提供すること。【解決手段】トラック２の荷台に道路点検作業機１０が搭載された構成の道路用の点検作業車１を、道路トンネル７０内の作業場所に止めて固定する。道路点検作業機１０を走行状態から上方および左右に展開して、作業状態１０Ｂに切り替える。上昇させた昇降用枠体１４上の昇降・旋回式作業床１７を道路トンネル７０内の中央を向く横向き位置に旋回し、その上の迫り出し式作業床１８を斜め上方に迫り出した位置にする。道路トンネル７０の内壁の各高さ位置の作業を複数の作業員が同時に、安全かつ簡単に行える。【選択図】図４
0003214624.tif 000002
【実用新案登録請求の範囲】
【請求項１】
トラックの荷台に搭載される荷台取付け用枠体と、
前記荷台取付け用枠体に昇降可能に搭載された昇降用枠体と、
前記昇降用枠体を昇降させる手動式の昇降機構と、
前記昇降用枠体に搭載され、水平姿勢を維持したまま、垂直軸線回りに、前向き位置から時計回りに９０度旋回した横向き位置に旋回可能な昇降・旋回式作業床と、
前記昇降・旋回式作業床に搭載した迫り出し式作業床と、
前記迫り出し式作業床を、水平姿勢を維持したまま、前記昇降・旋回式作業床に載った状態から、前記旋回式作業床の前方および上方に向けて移動して前記昇降・旋回式作業床から所定量だけ浮き上がった迫り出し状態に移動させる手動式の迫り出し機構と、
を有している車載式の道路点検作業機。
【請求項２】
請求項１において、
前記荷台取付け用枠体の左側部および右側部のそれぞれに取り付けられ、下端を中心として、垂直に起立した起立位置から、それぞれ左右に水平に倒れた張出位置に押し倒し可能な左右の前側張出式作業床を有している車載式の道路点検作業機。
【請求項３】
請求項２において、
前記荷台取付け用枠体の後端部に連結固定された後側作業台と、
前記後側作業台の左側部および右側部のそれぞれに取り付けられ、下端を中心として、垂直に起立した起立位置から、それぞれ左右に水平に倒れた張出位置に押し倒し可能な左右の後側張出式作業床と、
を有しており、
前記後側張出式作業床は前記前側張出式作業床よりも低い位置にある車載式の道路点検作業機。
【請求項４】
請求項３において、
前記後側作業台は、左右の一方の側に、相対的に高い位置にある上側作業床を備え、左右方向の他方の側には、前記上側作業床よりも低い位置に、下側作業床を備え、
前記上側作業床に取り付けた前記後側張出式作業床の一方に比べて、前記下側作業床に取り付けた前記後側張出式作業床の他方は、低い高さ位置にある車載式の道路点検作業機。
【請求項５】
請求項３または４において、
前記前側張出式作業床の外周縁部、および前記後側張出式作業床の外周縁部には、それぞれ、床面上に折り畳まれた位置から垂直に起立した位置に旋回可能な折り畳み式手摺が取り付けられているか、あるいは、差込式手摺が取り付け可能となっている車載式の道路点検作業機。
【請求項６】
請求項１ないし５のうちのいずれか一つの項において、
前記迫り出し式作業床の外周縁部には、床面上に折り畳まれた位置から垂直に起立した位置に旋回可能な折り畳み式手摺が取り付けられているか、あるいは、差込式手摺が取り付け可能となっている車載式の道路点検作業機。
【請求項７】
請求項１ないし６のうちのいずれか一つの項において、
前記迫り出し機構は、
前記昇降・旋回式作業床の側の下側水平リンク、前記迫り出し式作業床の側の上側水平リンク、並びに、前記下側水平リンクと前記上側水平リンクの間に一定の間隔で平行に架け渡した前側連結リンクおよび後側連結リンクを備えた四節の平行リンク機構と、
前記前側連結リンクおよび前記後側連結リンクにおける前記下側水平リンクとの節点から下方に延びる下端部を前後方向に揺動させる手動式の揺動機構と、
を備えており、
前記揺動機構は、手動ハンドルによる回転軸の回転を、前記下端部の前後方向の移動に変換する直動機構を備えている車載式の道路点検作業機。
【請求項８】
請求項１ないし７のうちのいずれか一つの項において、
前記昇降機構は、
前記昇降用枠体を垂直方向にガイドする垂直ガイドと、
前記荷台取付け用枠体と前記昇降用枠体との間に架け渡されたワイヤーロープと、
前記ワイヤーロープの巻き取り・繰り出しを行って、前記ワイヤーロープの架け渡し長さを増減することで前記昇降用枠体を昇降させる手動式のウインチと、
を備えている車載式の道路点検作業機。
【考案の詳細な説明】
【技術分野】
【０００１】
本考案は、道路トンネル内周壁その他の道路施設の点検作業等を行うためにトラックの荷台に搭載して使用される車載式の道路点検作業機に関する。
【背景技術】
【０００２】
高速道路等の道路トンネルにおいては、コンクリート製の内周壁の崩落事故等を未然に防止するために、道路トンネル内壁の点検作業および補修・補強作業が定期的に行われる。道路トンネルの点検作業、補修作業には、例えば、既存の高所作業車が使用される。高所作業車は、一般に、トラック等の走行車両の荷台に、油圧昇降式の高所作業用台車が搭載された構造をしている。
【０００３】
既存の高所作業車は、作業員を乗せた台車のリフト量、移動範囲に制限がある。天井高さの異なる道路トンネルの点検作業を行うには不便であり、幅の広い道路トンネル内の各部分の点検作業を効率良く行うことができない。また、台車に乗ることのできる作業員の人数は１人あるいは２、３人である。同時に多数の作業員が、道路トンネル内壁の点検作業を行うことが困難である。
【０００４】
なお、特許文献１〜３には、鉄道トンネルの作業に適した作業用軌陸ダンプカーが提案されている。
【先行技術文献】
【特許文献】
【０００５】
【特許文献１】特開２００２−３５６２９８号公報
【特許文献２】特開２０１０−２８０４９６号公報
【特許文献３】特開２０１１−５１７５０号公報
【考案の概要】
【考案が解決しようとする課題】
【０００６】
本考案の目的は、トラックの荷台に搭載して道路上の作業現場、例えば、道路トンネル内に持ち込み、その内壁等の補修・点検作業等を安全かつ容易に行うのに適した車載式の道路点検作業機を提供することにある。
【課題を解決するための手段】
【０００７】
本考案による、トラックの荷台に搭載して使用される車載式の道路点検作業機は、
トラックの荷台に搭載される荷台取付け用枠体と、
荷台取付け用枠体に昇降可能に搭載された昇降用枠体と、
昇降用枠体を昇降させる手動式の昇降機構と、
昇降用枠体に搭載され、水平姿勢を維持したまま、垂直軸線回りに、前向き位置から時計回りに９０度旋回した横向き位置に旋回可能な昇降・旋回式作業床と、
昇降・旋回式作業床に搭載した迫り出し式作業床と、
迫り出し式作業床を、水平姿勢を維持したまま、昇降・旋回式作業床に載った状態から、旋回式作業床の前方および上方に向けて移動して昇降・旋回式作業床から所定量だけ浮き上がった迫り出し状態に移動させる手動式の迫り出し機構と、
を有していることを特徴としている。
【０００８】
本考案の車載式の道路点検作業機には、上記構成に加えて、左右の前側張出式作業床が配置される場合がある。左右の前側張出式作業床は、荷台取付け用枠体の左側部および右側部に取り付けられ、下端を中心として、垂直に起立した起立位置から、それぞれ左右に水平に倒れた張出位置に押し倒し可能である。
【０００９】
また、荷台取付け用枠体の後端部に連結固定された後側作業台と、後側作業台の左側部および右側部のそれぞれに取り付けられ、下端を中心として、垂直に起立した起立位置から、それぞれ左右に水平に倒れた張出位置に押し倒し可能な左右の後側張出式作業床とが配置される場合がある。例えば、後側張出式作業床は前側張出式作業床よりも低い位置とされる。この場合には、後側作業台における左右の一方の側に、相対的に高い位置にある上側作業床が配置され、左右方向の他方の側には、上側作業床よりも低い位置に、下側作業床が配置され、これらの高さ位置に合わせて、上側作業床に取り付けた後側張出式作業床に比べて、下側作業床に取り付けた後側張出式作業床が低い高さ位置とされる。
【００１０】
さらに、迫り出し式作業床の外周縁部、前側張出式作業床の外周縁部、および、後側張出式作業床の外周縁部には、それぞれ、床面上に折り畳まれた位置から垂直に起立した位置に旋回可能な折り畳み式手摺が取り付けられる場合がある。折り畳み式手摺の代わりに、差込式手摺を取り付けてもよい。
【００１１】
本考案の道路点検作業機はトラックの荷台に搭載して、道路用の点検作業車の形態で使用される。作業現場に向かう走行状態の道路点検作業機では、その昇降用枠体が荷台取付け用枠体に引き込まれた収納状態にあり、当該昇降用枠体に搭載されている昇降・旋回式作業床は前向き状態にあり、迫り出し式作業床は昇降・旋回式作業床に載った状態にある。また、後側作業台および前後の張出式作業床を備えている場合には、これらは、左右に張り出されていない起立状態にある。迫り出し式作業床に折り畳み式手摺が取り付けられている場合には、当該折り畳み式手摺は折り畳み状態にある。さらに、前後の張出式作業床に折り畳み式手摺が取り付けられる場合には、当該折り畳み式手摺は折り畳み状態にある。
【００１２】
道路用の点検作業車を、道路上の作業場所、例えば、道路トンネル内の作業場所に止め、トラックに取り付けられているアウトリガ等によって、トラックを確実に固定する。この状態で、道路点検作業機を作業状態となるように展開する。すなわち、昇降用枠体を上昇させて、そこに搭載されている昇降・旋回式作用床を、道路トンネルの天井高に応じた所定高さ位置まで上昇させる。前向き状態にある上昇後の昇降・旋回式作業床を、右旋回させて横向きとし、この上に搭載されている迫り出し式作業床を斜め上方（道路トンネル内の幅方向の中央に向かう方向）に迫り出し、折り畳み式手摺を立てる。また、前後の張出式作業床を左右に張り出し、折り畳み式手摺あるいは差込式手摺を立てる。
【００１３】
作業状態に展開した道路点検作業機には、最も高い位置に、道路トンネルの中央側に迫り出した迫り出し式作業床が位置し、その下側に昇降・旋回式作業床が位置する。前側張出式作業床を備えている場合には、昇降・旋回式作業床の下側に、左右に張り出した前側張出式作業床が位置する。後側作業台および後側張出式作業床を備えている場合には、前側張出式作業床の下側に、後側作業台の左右の後側張出式作業床が位置する。多数の異なる高さ位置において多数の作業員が同時に作業を行うことができる。道路トンネルの内壁から天井までの各高さ位置において、安全かつ容易に作業が行える。
【００１４】
例えば、昇降・旋回式作業床を所定の高さ位置まで上昇させ、この状態で横向き状態となるように旋回させ、その上の迫り出し式作業床をトンネル天井面の中央に向けて斜め上方に迫り出す。迫り出し式作業床を、道路トンネル天井面の最も高い部位に対して、作業に適した高さ位置に設定できる。迫り出し式作業床に乗っている作業員は、道路トンネルの天井面の幅方向の中央部分に手が届き、当該部分に対する作業を安全かつ簡単に行える。
【００１５】
本考案において、手動式の迫り出し機構は四節のリンク機構から構成できる。例えば、四節のリンク機構を、昇降・旋回式作業床の側の下側水平リンク、迫り出し式作業床の側の上側水平リンク、並びに、下側水平リンクと上側水平リンクの間に一定の間隔で平行に架け渡した前側連結リンクおよび後側連結リンクから構成できる。この場合には、前側連結リンクおよび後側連結リンクにおける下側水平リンクとの節点から下方に延びる下端部を前後方向に揺動させる手動式の揺動機構を配置すればよい。揺動機構としては、手動ハンドルによる水平軸の回転を、前側および後側連結リンクの下端部のそれぞれの前後方向の移動に変換する直動機構を用いることができる。
【００１６】
また、昇降用枠体を昇降させるための手動式の昇降機構を、昇降用枠体を垂直方向にガイドするために荷台取付け用枠体に固定した垂直ガイドと、荷台取付け用枠体と昇降用枠体の間に架け渡したワイヤーロープと、ワイヤーロープの巻き取り・繰り出しを行って、ワイヤーロープの架け渡し長さを増減することで昇降用枠体を昇降させる手動式のウインチとから構成できる。
【図面の簡単な説明】
【００１７】
【図１】（ａ）は本考案を適用した道路点検作業機が搭載されたトラックから構成される道路用の点検作業車の走行状態を示す平面図、（ｂ）はその左側面図、（ｃ）はその右側面図であり、（ｄ）はその正面図であり、（ｅ）はその背面図である。
【図２】図１の道路点検作業機の構成を示す左側面図である。
【図３】（ａ）は図１の道路点検作業機を、荷台取付け用枠体から、昇降用枠体と、昇降・旋回式作業床および迫り出し式作業床とを分離した状態で示す説明図、（ｂ１）は迫り出し式作業床が迫り出した状態を示す側面図、（ｂ２）は折り畳み式手摺を立てた状態を示す側面図である。
【図４】（ａ）は道路点検作業機を展開して作業状態とした場合の平面図、（ｂ）はその左側面図、（ｃ）はその背面図である。
【図５】道路点検作業機の作業状態を示す斜視図である。
【図６】手動式の迫り出し機構を示す側面図および平面図である。
【考案を実施するための形態】
【００１８】
以下に、図面を参照して、本考案を適用した道路用の点検作業車の実施の形態を説明する。
【００１９】
（全体構成）
道路用の点検作業車１は、図１に示すように、トラック２と、このトラック２に搭載した道路点検作業機１０とから構成される。トラック２は、一般的に使用されているものであり、車体３に取り付けた前後の車輪４、５、運転席６および荷台７を備えている。また、図示を省略してあるが、車体３の前後には、それぞれ、左右一対のアウトリガが取り付けられている。道路上の作業場所、例えば、道路トンネル内の作業位置において、アウトリガを張り出すことにより、点検作業車１を確実に固定でき、転倒を防止できる。
【００２０】
トラック２の荷台７に搭載されている道路点検作業機１０は、図１、図２に示す走行状態１０Ａにおいては、荷台７の長さ寸法および幅寸法とほぼ同一の状態にある。作業状態１０Ｂにおいては、図４、図５に示すように、各部分が、上方および、荷台７の幅方向の両側に展開された状態に広げられる。
【００２１】
図２、図３を主に参照して説明すると、道路点検作業機１０は、トラック２の荷台７に取り付ける直方体形状に組まれた荷台取付け用枠体１１を備えている。荷台取付け用枠体１１の後端部には後側作業台１２が連結固定されている。荷台取付け用枠体１１の内側には、差込式手摺枠などの各種の部品を収納するために、複数個の偏平な直方体形状の収納ボックス１３が配置されている。荷台取付け用枠体１１における上側の部位には、直方体形状に組まれた昇降用枠体１４が搭載されている。昇降用枠体１４は、手動式の昇降機構１５によって、荷台取付け用枠体１１に沿って昇降可能である。
【００２２】
昇降用枠体１４の上面中央部には旋回用支柱１６が垂直に取り付けられている。旋回用支柱１６には、前後に長い長方形輪郭の昇降・旋回式作業床１７が水平に支持されている。旋回式作業床１７は、旋回用支柱１６の垂直軸線回りに、図１〜図３に示す前向き位置から、図４、図５に示すように、時計回りに９０度旋回した横向き位置に旋回可能である。昇降・旋回式作業床１７の上には、迫り出し式作業床１８が重なった状態で搭載されている。迫り出し式作業床１８は、図３（ａ）に示す昇降・旋回式作業床１７に重なった位置から、水平姿勢を維持した状態で、図３（ｂ１）、（ｂ２）に示すように、昇降・旋回式作業床１７の前方に向けて斜め上方に迫り出すことができる。迫り出し式作業床１８の迫り出しは、手動式の迫り出し機構１９によって行うことができる。
【００２３】
荷台取付け用枠体１１の左側部および右側部のそれぞれには、図１〜図３に示すように、垂直に起立した状態で、複数枚の矩形の前側の張出式作業床２１Ｌ、２１Ｒがそれぞれ取り付けられている。図２においては、内部構造を示すために、前側の張出式作業床２１Ｌの床板を省略し、その枠体を示してある。
【００２４】
張出式作業床２１Ｌ、２１Ｒは、図１〜図３に示す走行状態においては垂直に起立した起立位置に固定され、図４、図５に示す作業状態においては、左右に水平に倒れた張出位置に固定されて張出床として使用される。同様に、後側作業台１２の左側部および右側部のそれぞれには、後側の張出式作業床２２Ｌ、２２Ｒが取り付けられている。後側の張出式作業床２２Ｌ、２２Ｒも、図１〜図３に示す走行状態においては、垂直に起立した起立位置に固定される。図４、図５に示す作業状態においては、左右に水平に倒れた張出位置に固定されて張出床として使用される。
【００２５】
また、迫り出し式作業床１８の外周縁部には、通路部分を除き、折り畳み式手摺２３が取り付けられている。折り畳み式手摺２３は、走行状態では、図１（ａ）に示すように、迫り出し式作業床１８の床面上に折り畳まれている。作業状態では、図３（ｂ２）、図４（ｃ）、図５に示すように、垂直に起立させる。昇降・旋回式作業床１７の外周縁部の一部にも、折り畳み式手摺２４が取り付けられている。また、図４、図５に示すように、昇降用枠体１４の外周縁部の一部には、差込式手摺２５を取り付け可能である。前側の張出式作業床２１Ｌ、２１Ｒの三方の外周縁部にも、手摺２６を取り付け可能である。本例では、図５から分かるように、後辺縁には張出式作業床２１Ｌ、２１Ｒに直交する状態に手摺２７が取り付けられている。側辺縁および前辺縁には、差込式手摺２６を取り付け可能である。後側の張出式作業床２２Ｌ、２２Ｒにおける三方の外周縁部には、予め、手摺２８が取り付けられている。予め取り付けられている手摺２７、２８を折り畳み式手摺にしてもよい。また、差し込み式手摺を用いることもできる。なお、図５においては、差込式手摺２５、２６を想像線で示してある。
【００２６】
（各部の構成）
道路点検作業機１０の各部は、鋼製パイプなどの線状の構造部材を連結して直方体形状あるいは長方形の枠状に組み立てられたものである。図２、図３を参照して説明すると、荷台取付け用枠体１１は、前後に長い下側の水平な矩形枠体３１、上側の水平な矩形枠体３２、および、これら上下の矩形枠体３１、３２の連結している複数本の垂直支柱３３などから構成されている。昇降用枠体１４も鋼製パイプなどの線状の構造部材を連結して直方体状に組み立てたものであり、前後に長い下側の水平な矩形枠体３４、上側の水平な矩形枠体３５、これらの四隅など連結している複数本の垂直支柱３６などを備えている。また、その上面には、必要に応じて鋼板などの床板が敷かれる。
【００２７】
昇降用枠体１４の昇降機構１５は、昇降用枠体１４の昇降をガイドするための４組の垂直ガイド３８と、不図示のワイヤーロープと、ワイヤーロープの巻き取り・繰り出しを行う手動式のウインチ３９とを備えている。また、荷台取付け用枠体１１の四隅の垂直支柱３３のそれぞれの内側には、ワイヤーロープ架け渡し用の垂直支柱４０が設置されている。垂直支柱４０の上下の端には、それぞれ、ワイヤーロープが架け渡されるシーブ４１が取り付けられている。これらのシーブ４１に架け渡したワイヤーロープの巻き取り・巻き出しをウインチ３９によって行う。ワイヤーロープの架け渡し長さを増減することで、昇降用枠体１４を、水平姿勢を維持したまま昇降できるように、ワイヤーロープが各シーブ４１に架け渡されている。
【００２８】
昇降用枠体１４の上に旋回可能に搭載した昇降・旋回式作業床１７は、鋼製パイプなどの線状の構造部材を連結して構成した前後に長い水平な矩形枠体４２を備えており、この矩形枠体４２の上面は鋼板などからなる床板が敷かれている。また、矩形枠体４２の後端側の辺には、先に述べたように、折り畳み式手摺２４が取り付けられている。
【００２９】
昇降・旋回式作業床１７を支持している旋回用支柱１６は、昇降用枠体１４の側に固定され、昇降・旋回式作業床１７の裏面に取り付けた不図示の上側支柱が、軸受を介して、旋回用支柱１６に回転可能な状態で差し込まれている。旋回用支柱１６と昇降・旋回式作業床１７との間には、昇降・旋回式作業床１７の旋回範囲を規制する規制用係合部４３が設けられている。昇降・旋回式作業床１７の旋回範囲を、前向き位置から、時計回りに９０度旋回した旋回位置までの範囲に限定している。
【００３０】
また、昇降・旋回式作業床１７には、旋回用支柱１６を中心として同心円上の等角度の位置に、昇降用枠体１４の上面にまで延びる４本の脚４４が取り付けられている。各脚４４のそれぞれに下端には、固定ピン差込穴が形成されている。昇降用枠体１４の側にも、不図示の固定ピン差込穴が形成されている。これらの固定ピン差込穴に固定ピン４５（図６（ａ）参照）を差し込むことで、昇降・旋回式作業床１７を、前向き位置および旋回位置のそれぞれに固定できる。なお、昇降・旋回式作業床１７の旋回用の軸受機構、旋回位置を固定する機構は、各種のものを用いることができる。
【００３１】
図６は、昇降・旋回式作業床１７に搭載されている迫り出し式作業床１８の迫り出し機構１９を示す側面構成図および平面構成図である。迫り出し式作業床１８は、鋼製パイプなどの線状の構造部材を連結して構成した前後方向に長い水平な矩形枠５１を備えている。迫り出し式作業床１８の手動式の迫り出し機構１９は、四節のリンク機構から構成できる。四節のリンク機構は、昇降・旋回式作業床１７の上側の矩形枠体における前後方向に延びる左右の枠材５２（下側水平枠）と、迫り出し式作業床１８を構成している矩形枠５１における前後方向に延びる左右の枠材５３（上側水平枠）と、これら上側および下側の枠材５２、枠材５３の間において前後に一定の間隔で平行に架け渡されている左右一対の連結リンク５４、５５によって構成されている。
【００３２】
また、迫り出し機構１９は、一方の側の一対の連結リンク５４、５５における枠材５２に対する節点よりも下方に延びている下端部に連結された水平リンク５６と、水平リンク５６の端にユニバーサルジョイントを介して連結されている回転軸５７と、手動ハンドル５８と、手動ハンドル５８の回転を回転軸５７の中心軸線方向への直線移動に変換する変換機構５９とを備えている。変換機構５９としてはボールねじ・ナット式のものなどを用いることができる。手動ハンドル５８を回すと、回転軸５７が前後方向に移動して、それに連結されている水平リンク５６によって、前後一対の連結リンク５４、５５は、昇降・旋回式作業床１７に対する節点を中心として、図６（ａ）、図３（ｂ１）に示す水平に倒れた位置から、図３（ｂ２）に示すように、水平に対して所定の角度に立ち上げた立ち上げ位置まで旋回可能である。
【００３３】
次に、荷台取付け用枠体１１の後端に連結固定した後側作業台１２は、鋼製パイプなどの線状の構造部材を連結して構成した枠体である。図５から分かるように、本例の後側作業台１２は、左側には、一段高い作業床６１を備えた上側作業台６２を備え、右側には、一段低い作業床６３を備えた下側作業台６４を備えている。これらはＬ字状に入り組む状態に形成されている。上側作業台６２の前端の床は、下側作業台６４の前側に沿って横方向に延びており、その両端には一段高い段面６５、６６が配置されている。下側作業台６４の後端側の床は、上側作業台６２の後側に沿って横方向に延びており、その後側には、上側作業台６２との間に、これらの中間の高さの段面６７が配置されている。また、後端側の床の後側には、手摺付きの階段枠６８が配置されている。
【００３４】
上側作業台６２の左端縁には、作業床６１とほぼ同一高さ位置に、張出式作業床２２Ｌが取り付けられている。下側作業台６４の右端縁には、作業床６３とほぼ同一高さ位置に、張出式作業床２２Ｒが取り付けられている。これら張出式作業床２２Ｌ、２２Ｒの三方の縁部には、手摺２８が取り付けられている。図４、図５においては張出式作業床２２Ｌ、２２Ｒが張り出されて、手摺２８が起立した状態となっている。手摺２８の代わりに、差込式手摺を取り付け可能にしておくこともできる。
【００３５】
（道路点検作業機を用いたトンネル内点検作業）
この構成の道路点検作業機１０が搭載された点検作業車１は、図１、図２に示す走行状態で、作業現場である道路トンネルに移動する。走行状態では、昇降用枠体１４が荷台取付け用枠体１１に引き込まれた位置にあり、その上に、昇降・旋回式作業床１７が前向き状態にあり、昇降・旋回式作業床１７の床面に、迫り出し式作業床１８が載った状態にある。また、前後の張出式作業床２１Ｌ、２１Ｒ、２２Ｌ、２２Ｒは、左右に張り出されていない起立状態にある。迫り出し式作業床１８の折り畳み式手摺２３は折り畳み状態にあり、昇降用枠体１４、前側の張出式作業床２１Ｌ、２１Ｒ等に取り付けられる差込式手摺２６、床板などの部材は、例えば、収納ボックス１３に収納されている。
【００３６】
点検作業車１を、道路トンネル内の作業場所に止め、トラック２に取り付けられている不図示のアウトリガを張り出して、トラック２を確実に固定する。この状態で、道路点検作業機１０を作業状態に展開する。すなわち、昇降用枠体１４を、道路トンネルの天井高に応じて、所定高さ位置まで上昇させる。また、昇降用枠体１４に搭載されている昇降・旋回式作業床１７を右旋回させて、道路トンネルの中央側を向く横向きとする。この状態で、迫り出し式作業床１８を斜め上方（道路トンネル内の幅方向の中央側）に迫り出し、折り畳み式手摺２３を立てる。また、前後の張出式作業床２１Ｌ、２１Ｒ、２２Ｌ、２２Ｒを左右に張り出す。さらに、昇降用枠体１４、前側の張出式作業床２１Ｌ、２１Ｒに差込式手摺２５、２６を取り付ける。このようにして、道路点検作業機１０は、図４、図５に示すように展開されて、作業状態に切り替わる。なお、図４（ｃ）に示すように、迫り出し式作業床１８において、トンネル幅方向の中央側に位置する折り畳み式手摺２３には、アサガオ２９（落下防止用パネル）が取り付けられる。アサガオ２９は、予め、折り畳み式手摺２３に取り付けておき、作業時に、図に示すように広げるようにしてもよい。
【００３７】
図４（ｃ）に示すように、作業状態に展開した道路点検作業機１０には、最も高い位置において、道路トンネル７０の中央側に迫り出した迫り出し式作業床１８が位置し、その下側に昇降・旋回式作業床１７が位置し、その下側に、左右に張り出した前側の張出式作業床２１Ｌ、２１Ｒが位置する。さらに、その下側に、後側作業台１２の左右の後側の張出式作業床２２Ｌ、２２Ｒが位置する。多数の異なる高さ位置において多数の作業員が同時に作業を行うことができる。道路トンネル７０の内壁から天井までの各高さ位置において、完全かつ容易に作業を行うことができる。
【符号の説明】
【００３８】
１      点検作業車
２      トラック
３      車体
４、５  車輪
６      運転席
７      荷台
１０    道路点検作業機
１０Ａ  走行状態
１０Ｂ  作業状態
１１    荷台取付け用枠体
１２    後側作業台
１３    収納ボックス
１４    昇降用枠体
１５    昇降機構
１６    旋回用支柱
１７    昇降・旋回式作業床
１８    迫り出し式作業床
１９    迫り出し機構
２１Ｌ、２１Ｒ、２２Ｌ、２２Ｒ  張出式作業床
２３、２４  折り畳み式手摺
２５、２６  差込式手摺
２７、２８  手摺
２９    アサガオ
３１、３２  矩形枠体
３３    垂直支柱
３４、３５  矩形枠体
３６    垂直支柱
３８    垂直ガイド
３９    ウインチ
４０    垂直支柱
４１    シーブ
４２    矩形枠体
４３    規制用係合部
４４    脚
４５    固定ピン
５１    矩形枠
５２、５３  枠材
５４、５５  連結リンク
５６    水平リンク
５７    回転軸
５８    手動ハンドル
５９    変換機構
６１    作業床
６２    上側作業台
６３    作業床
６４    下側作業台
６５、６６、６７  段面
６８    階段枠
７０    道路トンネル
【図１】
0003214624.tif 000003
【図２】
0003214624.tif 000004
【図３】
0003214624.tif 000005
【図４】
0003214624.tif 000006
【図５】
0003214624.tif 000007
【図６】
0003214624.tif 000008